(57)【特許請求の範囲】
【請求項１】
組成物であって、組成物の総重量を基準として、（ａ）０．２〜９重量％の第四級アンモニウム化合物と、（ｂ）０．０５〜１０重量％の非イオン性グアーと、（ｃ）０．０５〜０．４重量％のカチオン性多糖とを含む組成物を使用することにより、布帛の灰色化を低減する方法。
【請求項２】
組成物が、組成物の総重量を基準として１〜８重量％の第四級アンモニウム化合物を含む、請求項１に記載の方法。
【請求項３】
組成物が、組成物の総重量を基準として３〜５重量％の第四級アンモニウム化合物を含む、請求項１または２に記載の方法。
【請求項４】
布帛が合成布帛である、請求項１〜３のいずれか一項に記載の方法。
【請求項５】
組成物が布帛コンディショニング組成物である、請求項１〜４のいずれか一項に記載の方法。
【請求項６】
第四級アンモニウム化合物が、一般式（Ｉ）：
［Ｎ＋（Ｒ１）（Ｒ２）（Ｒ３）（Ｒ４）］ｙＸ−  （Ｉ）
（式中、同じであるかまたは異なっていてよいＲ１、Ｒ２、Ｒ３およびＲ４は、ヘテロ原子またはエステルもしくはアミド基を任意選択的に含有するＣ１〜Ｃ３０炭化水素基であり；
Ｘは、アニオンであり；
ｙは、Ｘの価数である）
を有する、請求項１〜５のいずれか一項に記載の方法。
【請求項７】
第四級アンモニウム化合物が、一般式（ＩＩＩ）：
［Ｎ＋（（ＣＨ２）ｎ−Ｔ−Ｒ８）ｍ（Ｒ９）４−ｍ］ｙＸ−  （ＩＩＩ）
（式中、
Ｒ８基は、独立してＣ１〜Ｃ３０アルキルまたはアルケニル基から選択され；
Ｒ９基は、独立してＣ１〜Ｃ４アルキルまたはヒドロキシアルキル基から選択され；
Ｔは、−Ｃ（Ｏ）−Ｏ−または−Ｏ−Ｃ（＝Ｏ）−であり；
ｎは、０〜５の整数であり；
ｍは、１、２および３から選択され；
Ｘは、アニオンであり；
ｙは、Ｘの価数である）
を有する、請求項１〜６のいずれか一項に記載の方法。
【請求項８】
第四級アンモニウム化合物が、一般式（Ｖ）：
［Ｎ＋（Ｃ２Ｈ４−ＯＯＣＲ１１）２（ＣＨ３）（Ｃ２Ｈ４−ＯＨ）］（ＣＨ３）ｚＳＯ４−  （Ｖ）
（式中、Ｒ１１は、Ｃ１２〜Ｃ２０アルキル基であり；
ｚは、１〜３の整数である）
を有する、請求項１〜７のいずれか一項に記載の方法。
【請求項９】
第四級アンモニウム化合物が、
ＴＥＴ：ジ（牛脂カルボキシエチル）ヒドロキシエチルメチルアンモニウムメチルスルフェート；
ＴＥＯ：ジ（オレオカルボキシエチル）ヒドロキシエチルメチルアンモニウムメチルスルフェート；
ＴＥＳ：ジステアリルヒドロキシエチルメチルアンモニウムメチルスルフェート；
ＴＥＨＴ：ジ（水素化牛脂−カルボキシエチル）ヒドロキシエチルメチルアンモニウムメチルスルフェート；
ＴＥＰ：ジ（パルミチン酸カルボキシエチル）ヒドロキシエチルメチルアンモニウムメチルスルフェート；
ＤＥＥＤＭＡＣ：ジメチルビス［２−［（１−オキソオクタデシル）オキシ］エチル］アンモニウムクロリド；および
ＤＨＴ：二水素化牛脂ジメチルアンモニウムクロリド
からなる群から選択される、請求項１に記載の方法。
【請求項１０】
布帛が、組成物を含む水性媒体と接触させられる、請求項１〜９のいずれか一項に記載の方法。
【請求項１１】
成分（ｂ）０．０５〜１０重量％の非イオン性グアーの使用であって、第四級アンモニウム化合物および成分（ｂ）を含む組成物を使用する場合に布帛の灰色化を低減するための使用。
【発明の詳細な説明】
【技術分野】
【０００１】
本出願は、２０１５年１月１６日出願の欧州出願欧州特許出願公開第１５１５１５４６．７号に対する優先権を主張するものであり、この出願の全内容は、あらゆる目的のために参照により本明細書に援用される。
【０００２】
本発明は、第四級アンモニウム化合物を含む組成物、例えば、第四級アンモニウム化合物を含む布帛コンディショニング組成物を使用する場合に布帛の灰色化を低減する方法に関する。
【背景技術】
【０００３】
布帛コンディショニング組成物は、布帛を柔軟化するために、かつそれらに良い匂いを付与するために洗濯プロセスのリンスサイクルに添加することができる。従来、布帛コンディショニング系は、クォートとも名付けられる第四級アンモニウム化合物、とりわけセトリモニウムクロリド、ベヘントリモニウムクロリド、Ｎ，Ｎ−ビス（ステアロイル−オキシ−エチル）Ｎ，Ｎ−ジメチルアンモニウムクロリド、Ｎ，Ｎ−ビス（タロウイル−オキシ−エチル）Ｎ，Ｎ−ジメチルアンモニウムクロリド、Ｎ，Ｎ−ビス（ステアロイル−オキシ−エチル）Ｎ−（２−ヒドロキシエチル）Ｎ−メチルアンモニウムメチルスルフェートまたは１，２−ジ（ステアロイル−オキシ）−３−トリメチルアンモニウムプロパンクロリドをベースとしている。しかし、クォートは生分解するのが困難であることが知られており、したがって生態毒性を示す。業界には、より良好な生分解性およびより低い生態毒性を提供するエステルクォートなど、他のコンディショニング系に切り替えるという一般的な傾向がある。それにもかかわらず、カチオン性のものであるほとんどのクォート、とりわけエステルクォートに関連する１つの問題は、（典型的には少なくとも１０重量％の含有量での）それらの存在が、ポリエステルなどのとりわけ合成布帛上で不快な灰色化外観を一般に引き起こすことである。
【０００４】
本発明の１つの目的は、エステルクォートなどのクォートを含む組成物、とりわけ洗濯プロセスのリンスサイクル中に使用される布帛コンディショニング組成物を使用した場合に、とりわけ顧客の視覚満足感を満たすために布帛の灰色化を低減する方法を提供することである。
【発明の概要】
【０００５】
上の目的は、エステルクォートなどのクォートの含有量を減らし、かつ非イオン性多糖を組成物中に少なくとも添加することによって満たされることがここで見いだされた。
【０００６】
より具体的には、本発明によれば、組成物であって、組成物の総重量を基準として、（ａ）０．２〜９重量％の第四級アンモニウム化合物と、（ｂ）０．０５〜１０重量％の非イオン性多糖とを含む組成物を使用することにより、布帛の灰色化を低減する方法が提供される。
【０００７】
とりわけ、本組成物は、布帛コンディショニング組成物である。
【０００８】
好ましくは、非イオン性多糖は、非イオン性グアーまたは非イオン性セルロースである。特に、非イオン性多糖は、非イオン性グアーである。
【０００９】
好ましくは、第四級アンモニウム化合物は、シリコーン含有第四級アンモニウム化合物ではない。
【００１０】
第四級アンモニウム化合物は、一般式（Ｉ）：
［Ｎ＋（Ｒ１）（Ｒ２）（Ｒ３）（Ｒ４）］ｙＸ−  （Ｉ）
（式中、
同じであるかまたは異なっていてよいＲ１、Ｒ２、Ｒ３およびＲ４は、ヘテロ原子またはエステルもしくはアミド基を任意選択的に含有するＣ１〜Ｃ３０炭化水素基であり；
Ｘは、アニオンであり；
ｙは、Ｘの原子価である）
を有してもよい。
【００１１】
いくつかの態様では、第四級アンモニウム化合物は、一般式（ＩＩ）：
［Ｎ＋（Ｒ５）２（Ｒ６）（Ｒ７）］ｙＸ−  （ＩＩ）
（式中、
Ｒ５は、脂肪族Ｃ１〜３０基であり；
Ｒ６は、Ｃ１〜Ｃ４アルキル基であり；
Ｒ７は、Ｒ５またはＲ６であり；
Ｘは、アニオンであり；
ｙは、Ｘの原子価である）
を有する。
【００１２】
いくつかの態様では、第四級アンモニウム化合物は、一般式（ＩＩＩ）：
［Ｎ＋（（ＣＨ２）ｎ−Ｔ−Ｒ８）ｍ（Ｒ９）４−ｍ］ｙＸ−  （ＩＩＩ）
（式中、
Ｒ８基は、独立してＣ１〜Ｃ３０アルキルまたはアルケニル基から選択され；
Ｒ９基は、独立してＣ１〜Ｃ４アルキルまたはヒドロキシアルキル基から選択され；
Ｔは、−Ｃ（Ｏ）−Ｏ−または−Ｏ−Ｃ（＝Ｏ）−であり；
ｎは、０〜５の整数であり；
ｍは、１、２および３から選択され；
Ｘは、アニオン、例えば、クロリド、ブロミド、ナイトレートまたはメトスルフェートイオンであり；
ｙは、Ｘの原子価である）
の化合物である。
【００１３】
特に、第四級アンモニウム化合物は、一般式（Ｖ）：
［Ｎ＋（Ｃ２Ｈ４−ＯＯＣＲ１１）２（ＣＨ３）（Ｃ２Ｈ４−ＯＨ）］（ＣＨ３）ｚＳＯ４−  （Ｖ）
（式中、Ｒ１０は、Ｃ１２〜Ｃ２０アルキル基であり；
ｚは、１〜３の整数である）
を有する。
【００１４】
第四級アンモニウム化合物は、
ＴＥＴ：ジ（牛脂カルボキシエチル）ヒドロキシエチルメチルアンモニウムメチルスルフェート；
ＴＥＯ：ジ（オレオカルボキシエチル）ヒドロキシエチルメチルアンモニウムメチルスルフェート；
ＴＥＳ：ジステアリルヒドロキシエチルメチルアンモニウムメチルスルフェート；
ＴＥＨＴ：ジ（水素化牛脂−カルボキシエチル）ヒドロキシエチルメチルアンモニウムメチルスルフェート；
ＴＥＰ：ジ（パルミチン酸カルボキシエチル）ヒドロキシエチルメチルアンモニウムメチルスルフェート；
ＤＥＥＤＭＡＣ：ジメチルビス［２−［（１−オキソオクタデシル）オキシ］エチル］アンモニウムクロリド；および
ＤＨＴ：二水素化牛脂ジメチルアンモニウムクロリド
からなる群から選択されてもよい。
【００１５】
本発明により使用される組成物中の第四級アンモニウム化合物の量は、従来の組成物と比べて減らされる。好ましい実施形態では、本組成物は、組成物の総重量を基準として１〜８重量％、より好ましくは３〜５重量％の第四級アンモニウム化合物を含む。
【００１６】
いくつかの態様では、本組成物は、（ｃ）カチオン性多糖をさらに含む。その場合、カチオン性多糖は、好ましくは、組成物の総重量を基準として１重量％未満の含有量である。この特異的な実施形態において、本発明の方法は、布帛の灰色化の低減に加えて、優れた柔軟化性能を可能にすることが分かった。換言すれば、この実施形態によれば、本組成物は、（１０重量％超のエステルクォートを含有する）先行技術から公知のコンディショニング組成物の有利な特性を、しかしそれらの副作用なしに示す。さらに、この実施形態により使用される組成物は、改善された芳香寿命を可能にする。
【００１７】
好ましくは、本発明の方法は、合成布帛上の灰色化を回避するために提供される。用語「合成布帛」は、例示の目的のために、ポリエステル、ポリエステル／木綿の混合物、ポリアミドなどの合成物質を基本的に含有する布帛を意味することが理解される。本発明の方法は、特に、前の段落に記載された特異的な実施形態の条件において、合成布帛でとりわけ効率的であると分かった。
【００１８】
いくつかの態様では、カチオン性多糖は、カチオン性グアーである。
【００１９】
好ましくは、カチオン性多糖は、１００，０００ダルトン〜１，５００，０００ダルトンの平均分子量（Ｍｗ）を有する。
【００２０】
いくつかの態様では、本組成物は、芳香物質または香料をさらに含む。
【００２１】
本発明による組成物の他の利点およびより具体的な特性は、本発明の以下の説明を読めば明らかとなるであろう。
【発明を実施するための形態】
【００２２】
本発明の一態様では、組成物であって、組成物の総重量を基準として、（ａ）０．２〜９重量％の第四級アンモニウム化合物と、（ｂ）０．０５〜１０重量％の非イオン性多糖と、任意選択的に（ｃ）１重量％未満のカチオン性多糖とを含む組成物を使用することにより、布帛の灰色化を低減する方法が提供される。本発明の組成物は、パーソナルケア組成物またはホームケア組成物、とりわけ布帛コンディショニング組成物であってもよい。
【００２３】
より特異的な態様によれば、本発明は、布帛コンディショニング組成物であって、組成物の総重量を基準として、（ａ）０．２〜９重量％の第四級アンモニウム化合物と、（ｂ）０．０５〜１０重量％の非イオン性多糖と、（ｃ）好ましくは０．０５〜１重量％のカチオン性多糖、より好ましくは０．１〜０．４重量％のカチオン性多糖とを含む布帛コンディショニング組成物を使用することにより、布帛（典型的には合成布帛）の灰色化を低減する方法を提供する。
【００２４】
特許請求の範囲を含めて、本説明の全体にわたって、用語「１つを含む」または「含む」は、特に明記しない限り、用語「少なくとも１つを含む」と同じ意味であると理解されるべきであり、「〜」は、その両端を含むと理解されるべきである。
【００２５】
本発明との関連で、用語「布帛コンディショニング」は、織物布帛、材料、糸、および織布へのいかなるコンディショニングの便益も含めるために最も広い意味で本明細書において用いられる。１つのそのようなコンディショニングの便益は、布帛の柔軟化である。他の非限定的なコンディショニングの便益としては、布帛潤滑化、布帛緊張緩和、耐久性プレス加工、防しわ性、しわ低減、アイロンかけの容易さ、耐摩耗性、布帛平滑化、抗フェルト化、抗ピリング性、みずみずしさ、外観向上、外観再生、色保護、色再生、抗収縮、着用保形、布帛弾性、布帛引張強度、布帛引裂強度、静電気低減、吸水性または撥水性、撥染み；リフレッシング、抗菌、防臭；芳香新鮮さ、芳香寿命、ならびにそれらの混合が挙げられる。
【００２６】
本明細書で用いるところでは、「布帛の灰色化」は、布帛の処理プロセス中の布帛上の着色（典型的には黄色または灰色）の増成を意味する。このプロセスは、洗濯、（柔軟化などの）コンディショニング、乾燥、着色、脱臭、クリーニングなどであってもよい。前記プロセスは、手動プロセスであっても、自動化機械を用いることによるプロセスであってもよい。
【００２７】
「アルキル」は、本明細書で用いるところでは、直鎖または分岐の飽和脂肪族炭化水素基を意味する。「アルケニル」は、本明細書で用いるところでは、少なくとも１個の二重結合を含有する脂肪族基を意味し、「非置換アルケニル」および「置換アルケニル」を両方とも包含することを意図し、その後者は、アルケニル基の１個または複数個の炭素原子上の水素に置き換わっている置換基を有するアルケニル部分を意味する。
【００２８】
用語「カチオン性ポリマー」は、本明細書で用いるところでは、カチオン電荷を有する任意のポリマーを意味する。
【００２９】
用語「第四級アンモニウム化合物」は、本明細書で用いるところでは、少なくとも１個の第四級化窒素を含有する化合物であって、その窒素原子が４つの有機基と結合している化合物を意味する。第四級アンモニウム化合物は、１個または複数個の第四級化窒素原子を含んでもよい。
【００３０】
用語「カチオン性多糖」は、本明細書で用いるところでは、ｐＨ中性の水性媒体中で正味の正電荷を多糖またはその誘導体に提供するために化学変性されている多糖またはその誘導体を意味する。カチオン性多糖にはまた、非恒久的に帯電しているもの、例えば所与のｐＨ未満でカチオン性であり、かつそのｐＨ超で中性であることができる誘導体が含まれ得る。デンプン、セルロース、ペクチン、カラギーナン、グアー、キサンタン、デキストラン、カードラン、キトサン、キチンなどの非変性多糖類は、カチオン電荷をそれに付与するために化学変性することができる。一般的な化学変性は、多糖骨格に第四級アンモニウム置換基を組み込む。他の好適なカチオン性置換基としては、第一級、第二級もしくは第三級アミノ基または第四級スルホニウムもしくはホスフィニウム基が挙げられる。追加の化学変性としては、架橋、安定化反応（アルキル化およびエステル化など）、リン酸エステル化、加水分解が挙げられ得る。
【００３１】
用語「非イオン性多糖」は、本明細書で用いるところでは、ｐＨ中性の水性媒体中で正味の中性電荷を多糖もしくはその誘導体に提供するために化学変性されている多糖もしくはその誘導体；または非変性多糖を意味する。
【００３２】
第四級アンモニウム化合物
一態様では、本発明の組成物は、少なくとも１つの第四級アンモニウム化合物を含む。例示目的で、第四級アンモニウム化合物は、アルキル化第四級アンモニウム化合物、環または環状第四級アンモニウム化合物、芳香族第四級アンモニウム化合物、ジ−第四級アンモニウム化合物、アルコキシル化第四級アンモニウム化合物、アミドアミン第四級アンモニウム化合物、エステル第四級アンモニウム化合物、およびそれらの混合物であってもよい。典型的には、本発明により使用される第四級アンモニウム化合物は、エステル第四級アンモニウム化合物である。好ましくは、第四級アンモニウム化合物は、水分散性である。
【００３３】
好ましくは、第四級アンモニウム化合物は、シリコーン含有第四級アンモニウム化合物ではない、すなわち、第四級アンモニウム化合物は、いかなるシロキサン結合（−Ｓｉ−Ｏ−Ｓｉ−）またはケイ素−炭素結合も含有しない。
【００３４】
本発明の一態様によれば、第四級アンモニウム化合物は、一般式（Ｉ）：
［Ｎ＋（Ｒ１）（Ｒ２）（Ｒ３）（Ｒ４）］ｙＸ−  （Ｉ）
（式中、
同じであるかまたは異なっていてよいＲ１、Ｒ２、Ｒ３およびＲ４は、ヘテロ原子またはエステルもしくはアミド基を任意選択的に含有するＣ１〜Ｃ３０炭化水素基、典型的にはアルキル、ヒドロキシアルキルまたはエトキシル化アルキル基であり；
Ｘは、アニオン、例えば、ＣｌもしくはＢｒなどのハライド、スルフェート、アルキルスルフェート、ナイトレートまたはアセテートであり；
ｙは、Ｘの原子価である）
の化合物である。
【００３５】
いくつかの態様では、第四級アンモニウム化合物は、ジアルキルクォートなどのアルキルクォート、またはジアルキルジエステルクォートなどのエステルクォートである。
【００３６】
ジアルキルクォートは、一般式（ＩＩ）：
［Ｎ＋（Ｒ５）２（Ｒ６）（Ｒ７）］ｙＸ−  （ＩＩ）
（式中、
Ｒ５は、脂肪族Ｃ１６〜２２基であり；
Ｒ６は、Ｃ１〜Ｃ３アルキル基であり；
Ｒ７は、Ｒ５またはＲ６であり；
Ｘは、アニオン、例えば、ＣｌもしくはＢｒなどのハライド、スルフェート、アルキルスルフェート、ナイトレートまたはアセテートであり；
ｙは、Ｘの原子価である）
の化合物であってもよい。
【００３７】
ジアルキルクォートは、好ましくは、ジ−（硬化牛脂）ジメチルアンモニウムクロリドである。
【００３８】
いくつかの態様では、第四級アンモニウム化合物は、一般式（ＩＩＩ）：
［Ｎ＋（（ＣＨ２）ｎ−Ｔ−Ｒ８）ｍ（Ｒ９）４−ｍ］ｙＸ−  （ＩＩＩ）
（式中、
Ｒ８基は、独立してＣ１〜Ｃ３０アルキルまたはアルケニル基から選択され；
Ｒ９基は、独立してＣ１〜Ｃ４アルキルまたはヒドロキシアルキル基から選択され；
Ｔは、−Ｃ（Ｏ）−Ｏ−または−Ｏ−Ｃ（＝Ｏ）−であり、ｎは、０〜５の整数であり；
ｍは、１、２および３から選択され；
Ｘは、アニオン、例えば、クロリド、ブロミド、ナイトレートまたはメトスルフェートイオンであり；
ｙは、Ｘの原子価である）
の化合物である。
【００３９】
好ましくは、一般式（ＩＩＩ）において定義されるようなｍは２である。したがって、第四級アンモニウム化合物は、（ＩＶ）の一般式：
［Ｎ＋（（ＣＨ２）ｎ−Ｔ−Ｒ８）２（Ｒ９）２］ｙＸ−  （ＩＶ）
（式中、Ｒ８、Ｒ９、Ｔ、ｎ、ｙおよびＸは、一般式（ＩＩＩ）において定義された通りである）
を有する。
【００４０】
（ＩＩＩ）および（ＩＶ）の一般式において、Ｔがまた、−ＮＲ１０−Ｃ（＝Ｏ）−または−（Ｃ＝Ｏ）−ＮＲ１０−（式中、Ｒ１０は、水素、Ｃ１〜Ｃ６アルキルまたはＣ１〜Ｃ６ヒドロキシアルキル基である）であってもよいことは十分理解される。
【００４１】
いくつかの態様では、第四級アンモニウム化合物は、窒素頭部基に、より好ましくは少なくとも１つのエステル結合によって連結された２つのＣ１２〜２８アルキルまたはアルケニル基を含む。第四級アンモニウム化合物は、好ましくは、存在する２つのエステル結合を有する。
【００４２】
好ましくは、アルキルまたはアルケニル基の平均鎖長は、少なくともＣ１４、より好ましくは少なくともＣ１６である。さらにより好ましくは、鎖の少なくとも半分は、Ｃ１８の長さを有する。
【００４３】
いくつかの態様では、分岐度、とりわけ中間鎖分岐度は、本発明の範囲内であるが、アルキルまたはアルケニル鎖は主として線状である。
【００４４】
いくつかの態様では、エステル第四級アンモニウム化合物は、一般式（Ｖ）：
［Ｎ＋（Ｃ２Ｈ４−ＯＯＣＲ１１）２（ＣＨ３）（Ｃ２Ｈ４−ＯＨ）］（ＣＨ３）ｚＳＯ４−  （Ｖ）
（式中、Ｒ１１は、Ｃ１２〜Ｃ２０アルキル基であり；
ｚは、１〜３の整数である）
のトリエタノールアミンベースの第四級アンモニウムである。
【００４５】
本発明の第四級アンモニウム化合物はまた、様々な第四級アンモニウム化合物の混合物、とりわけ例えばモノ−、ジ−およびトリ−エステル成分の混合物またはモノ−、およびジ−エステル成分の混合物であってもよく、ここで、例えばジエステル第四級の量は、第四級アンモニウム化合物の総量を基準として３０〜９９重量％に含まれる。
【００４６】
好ましくは、第四級アンモニウム化合物は、モノ−、ジ−およびトリ−エステル成分の混合物であり、ここで、
−  ジエステル第四級の量は、第四級アンモニウム化合物の総量を基準として３０〜７０重量％、好ましくは４０〜６０重量％に含まれ、
−  モノエステル第四級の量は、第四級アンモニウム化合物の総量を基準として１０〜６０重量％、好ましくは２０〜５０重量％に含まれ、
−  トリエステル第四級の量は、第四級アンモニウム化合物の総量を基準として１〜２０重量％に含まれる。
【００４７】
あるいは、第四級アンモニウム化合物は、モノ−およびジ−エステル成分の混合物であり、ここで、
−  ジエステル第四級の量は、第四級アンモニウム化合物の総量を基準として３０〜９９重量％、好ましくは５０〜９９重量に含まれ、
−  モノエステル第四級の量は、第四級アンモニウム化合物の総量を基準として１〜５０重量％、好ましくは１〜２０重量％に含まれる。
【００４８】
本発明の好ましいエステル第四級アンモニウム化合物としては、
ＴＥＴ：ジ（牛脂カルボキシエチル）ヒドロキシエチルメチルアンモニウムメチルスルフェート、
ＴＥＯ：ジ（オレオカルボキシエチル）ヒドロキシエチルメチルアンモニウムメチルスルフェート、
ＴＥＳ：ジステアリルヒドロキシエチルメチルアンモニウムメチルスルフェート、
ＴＥＨＴ：ジ（水素化牛脂−カルボキシエチル）ヒドロキシエチルメチルアンモニウムメチルスルフェート、
ＴＥＰ：ジ（パルミチン酸カルボキシエチル）ヒドロキシエチルメチルアンモニウムメチルスルフェート、
ＤＥＥＤＭＡＣ：ジメチルビス［２−［（１−オキソオクタデシル）オキシ］エチル］アンモニウムクロリド
が挙げられる。
【００４９】
一実施形態では、第四級アンモニウム化合物は、一般式：
0006804455.tif 000002
（式中、各Ｒ１４置換基は、水素、短鎖Ｃ１〜Ｃ６、好ましくはＣ１〜Ｃ３アルキルまたはヒドロキシアルキル基、例えばメチル、エチル、プロピル、ヒドロキシエチルなど、ポリ（Ｃ２〜３アルコウイ）、好ましくはポリエトキシ、ベンジル、またはそれらの混合物のいずれかであり；Ｒ１２は、ヒドロカルビル、または置換ヒドロカルビル基であり；Ｘ−は、上に示された定義を有し；Ｒ１３は、Ｃ１〜６アルキレン基、好ましくはエチレン基であり；Ｇは、酸素原子または−ＮＲ−基である）
の化合物である。
【００５０】
化合物（ＶＩ）の非限定的な例は、１−メチル−１−ステアロイルアミドエチル−２−ステアロイルイミダゾリニウムメチルスルフェートである。
【００５１】
一実施形態では、第四級アンモニウム化合物は、一般式：
0006804455.tif 000003
の化合物である。
【００５２】
化合物（ＶＩＩ）の非限定的な例は、ｌ−タロウイルアミドエチル−２−タロウイルイミダゾリンである。
【００５３】
一実施形態では、第四級アンモニウム化合物は、一般式：
0006804455.tif 000004
（式中、Ｒ１２、Ｒ１３およびＲ１４は、上記の通り定義される）
の化合物である。
【００５４】
化合物（ＶＩＩＩ）の非限定的な例は、
0006804455.tif 000005
（式中、Ｒ１は、脂肪酸に由来する）
である。
【００５５】
本発明の第四級アンモニウム化合物は、本組成物の総重量を基準として０．２〜９重量％の量で存在してもよい。より好ましくは、本発明の第四級アンモニウム化合物は、本組成物の総重量を基準として１〜８重量％の量で存在する。さらにより好ましくは、本発明の第四級アンモニウム化合物は、本組成物の総重量を基準として３〜５重量％の量で存在する。
【００５６】
非イオン性多糖
一態様では、本発明の組成物は、少なくとも１つの非イオン性多糖を含む。好ましくは、本組成物は、１つのみの非イオン性多糖を含む。
【００５７】
非イオン性多糖は、変性非イオン性多糖または非変性非イオン性多糖であることができる。変性非イオン性多糖は、ヒドロキシアルキル化および／またはエステル化を含んでもよい。本出願との関連で、非イオン性多糖の変性のレベルは、単糖単位の１モル当たりのヒドロキシプロピル基などの置換基の平均モル数を意味する、分子置換（ＭＳ）によって特徴付けられてもよい。ＭＳは、とりわけ、多糖類上に存在する遊離ヒドロキシル官能基の数で割った消費されるアルキレンオキシド分子の数を意味する。ＭＳは、とりわけ、次の参考文献：Ｋ．Ｌ．Ｈｏｄｇｅｓ，Ｗ．Ｅ．Ｋｅｓｔｅｒ，Ｄ．Ｌ．Ｗｉｅｄｅｒｒｉｃｈ，ａｎｄ  Ｊ．Ａ．Ｇｒｏｖｅｒ，“Ｄｅｔｅｒｍｉｎａｔｉｏｎ  ｏｆ  Ａｌｋｏｘｙｌ  Ｓｕｂｓｔｉｔｕｔｉｏｎ  ｉｎ  Ｃｅｌｌｕｌｏｓｅ  Ｅｔｈｅｒｓ  ｂｙ  Ｚｅｉｓｅｌ−Ｇａｓ  Ｃｈｒｏｍａｔｏｇｒａｐｈｙ”，Ａｎａｌｙｔｉｃａｌ  Ｃｈｅｍｉｓｔｒｙ，Ｖｏｌ．５１，Ｎｏ．１３，Ｎｏｖｅｍｂｅｒ  １９７９に基づくＺｅｉｓｅｌ−ＧＣ法によって測定することができる。
【００５８】
好ましくは、変性非イオン性多糖のＭＳは、０〜３の範囲にある。より好ましくは、変性非イオン性多糖のＭＳは、０．１〜３の範囲にある。さらにより好ましくは、変性非イオン性多糖のＭＳは、０．１〜２の範囲にある。
【００５９】
本発明の非イオン性多糖は、グルカン、変性もしくは非変性デンプン（例えば、穀類、例えばコムギ、トウモロコシまたはコメに由来するもの、野菜、例えば黄エンドウ、および根茎、例えばジャガイモまたはキャッサバに由来するものなど）、アミロース、アミロペクチン、グリコーゲン、デキストラン、セルロースおよびその誘導体（メチルセルロース、ヒドロキシアルキルセルロース、エチルヒドロキシエチルセルロース）、マンナン、キシラン、リグニン、アラバン、ガラクタン、ガラクツロナン、キチン、キトサン、グルクロノキシラン、アラビノキシラン、キシログルカン、グルコマンナン、ペクチン酸およびペクチン、アラビノガラクタン、カラギーナン、寒天、アラビアガム、トラガカントガム、ガッチガム、カラヤガム、カロブガム、グアーおよびその非イオン性誘導体（ヒドロキシプロピルグアー）などのガラクトマンナン、ならびにそれらの混合物からとりわけ選択されてもよい。
【００６０】
とりわけ、非イオン性多糖は、非イオン性セルロースまたは非イオン性グアー、特に非イオン性グアーである。
【００６１】
とりわけ使用されるセルロース類の中に、ヒドロキシエチルセルロースおよびヒドロキシプロピルセルロースがある。Ａｑｕａｌｏｎ社によって名称Ｋｌｕｃｅｌ（登録商標）ＥＦ、Ｋｌｕｃｅｌ（登録商標）Ｈ、Ｋｌｕｃｅｌ（登録商標）ＬＨＦ、Ｋｌｕｃｅｌ（登録商標）ＭＦおよびＫｌｕｃｅｌ（登録商標）Ｇで、ならびにＡｍｅｒｃｈｏｌ社によってＣｅｌｌｏｓｉｚｅ（登録商標）Ｐｏｌｙｍｅｒ  ＰＣＧ−１０で、ならびにＡｓｈｌａｎｄ社によってＨＥＣ、ＨＰＭＣ  Ｋ２００、ＨＰＭＣ  Ｋ３５Ｍで販売される製品が言及されてもよい。
【００６２】
非イオン性グアーは、変性または非変性であることができる。非変性非イオン性グアーとしては、Ｕｎｉｐｅｃｔｉｎｅ社によって名称Ｖｉｄｏｇｕｍ（登録商標）ＧＨ  １７５で、ならびにＳｏｌｖａｙ社によって名称Ｍｅｙｐｒｏ（登録商標）−Ｇｕａｒ  ５０およびＪａｇｕａｒ（登録商標）Ｃで販売される製品が挙げられる。変性非イオン性グアーは、とりわけ、Ｃ１〜Ｃ６ヒドロキシアルキル基で変性されている。挙げられてもよいヒドロキシアルキル基の中に、例えば、ヒドロキシメチル、ヒドロキシエチル、ヒドロキシプロピルおよびヒドロキシブチル基がある。これらのグアーは、先行技術において周知であり、ヒドロキシプロピル基で変性されたグアーを得るために、例えば、プロピレンオキシドなどの相当するアルケンオキシドをグアーと反応させることにより、例えば、製造することができる。
【００６３】
本発明の、非イオン性グアーなどの非イオン性多糖は、１００，０００ダルトン〜３，５００，０００ダルトン、好ましくは５００，０００ダルトン〜３，５００，０００ダルトンの平均分子量（Ｍｗ）を有してもよい。
【００６４】
いくつかの態様では、本組成物は、組成物の総重量を基準として０．０５〜１０重量％の本発明による非イオン性多糖を含む。好ましくは、本組成物は、組成物の総重量を基準として０．０５〜５重量％の非イオン性多糖を含む。より好ましくは、本組成物は、組成物の総重量を基準として０．２〜２重量％の非イオン性多糖を含む。
【００６５】
カチオン性多糖
一態様では、本発明の組成物は、少なくとも１つのカチオン性多糖を含む。好ましくは、本組成物は、１つのみのカチオン性多糖を含む。
【００６６】
カチオン性多糖は、多糖類、一般に天然多糖類を化学変性することによって得ることができる。そのような変性により、カチオン性側基を多糖骨格中へ導入することができる。一実施形態では、本発明によるカチオン性多糖が有するカチオン基は、第四級アンモニウム基である。
【００６７】
本発明のカチオン性多糖類としては、
カチオン性グアーおよびその誘導体、カチオン性セルロースおよびその誘導体、カチオン性デンプンおよびその誘導体、カチオン性カロースおよびその誘導体、カチオン性キシランおよびその誘導体、カチオン性マンナンおよびその誘導体、カチオン性ガラクトマンノースおよびその誘導体
が挙げられるが、それらに限定されない。
【００６８】
本発明に好適なカチオン性セルロースとしては、第四級アンモニウム基を含むセルロースエーテル、カチオン性セルロースコポリマー、または水溶性第四級アンモニウムモノマーでグラフトされたセルロースが挙げられる。
【００６９】
第四級アンモニウム基を含むセルロースエーテルは、仏国特許第１，４９２，５９７号明細書に記載されており、特に、Ｄｏｗ社によって名称「ＪＲ」（ＪＲ  ４００、ＪＲ  １２５、ＪＲ  ３０Ｍ）または「ＬＲ」（ＬＲ  ４００、ＬＲ  ３０Ｍ）で販売されるポリマーを含む。これらのポリマーはまた、ＣＴＦＡ辞典では、トリメチルアンモニウム基で置換されたエポキドと反応させられているヒドロキシエチルセルロース第四級アンモニウムと定義されている。好適なカチオン性セルロースとしてはまた、Ｓｏｌｖａｙ社製のＬＲ３０００  ＫＣが挙げられる。
【００７０】
メタクリロイル−エチルトリメチルアンモニウム、メタクリルアミドプロピルトリメチルアンモニウムまたはジメチル−ジアリルアンモニウム塩でとりわけグラフトされたヒドロキシアルキルセルロース、例えばヒドロキシメチル−、ヒドロキシエチル−またはヒドロキシプロピルセルロースなどのカチオン性セルロースコポリマーまたは水溶性第四級アンモニウムモノマーでグラフトされたセルロースは、米国特許第４，１３１，５７６号明細書にとりわけ記載されている。この定義に相当する市販製品は、より具体的には、Ａｋｚｏ  Ｎｏｂｅｌ社によって名称Ｃｅｌｑｕａｔ（登録商標）Ｌ  ２００およびＣｅｌｑｕａｔ（登録商標）Ｈ  １００で販売される製品である。
【００７１】
本発明に好適なカチオン性デンプンとしては、Ｐｏｌｙｇｅｌｏ（登録商標）で販売される製品（Ｓｉｇｍａ製のカチオン性デンプン）、Ｓｏｆｔｇｅｌ（登録商標）、Ａｍｙｌｏｆａｘ（登録商標）およびＳｏｌｖｉｔｏｓｅ（登録商標）で販売される製品（Ａｖｅｂｅ製のカチオン性デンプン）、Ｎａｔｉｏｎａｌ  Ｓｔａｒｃｈ製のＣＡＴＯが挙げられる。好適なカチオン性ガラクトマンノースとしては、例えば、フェヌグリークガム（Ｆｅｎｕｇｒｅｅｋ  Ｇｕｍ）、コンニャクガム（Ｋｏｎｊａｃ  Ｇｕｍ）、タラガム（Ｔａｒａ  Ｇｕｍ）、カッシアガム（Ｃａｓｓｉａ  Ｇｕｍ）が挙げられる。
【００７２】
いくつかの態様では、カチオン性多糖は、カチオン性グアーである。グアーは、糖ガラクトースおよびマンノースからなる多糖類である。その骨格は、β１，４−結合したマンノース残基の線状鎖であり、それにガラクトース残基があらゆる第二のマンノースにおいて１，６−結合して、短い分岐を形成している。本発明に関連して、カチオン性グアーは、グアーのカチオン性誘導体である。
【００７３】
カチオン性グアーなどのカチオン性多糖の場合、カチオン基は、３つのラジカルを有する第四級アンモニウム基であってもよく、３つのラジカルは、同一であっても異なってもよく、水素、好ましくは１〜２２個の炭素原子、より特に１〜１４個、有利には１〜３個の炭素原子を含有するアルキル、ヒドロキシアルキル、エポキシアルキル、アルケニル、またはアリールから好ましくは選択されてもよい。対イオンは一般にハロゲンである。ハロゲンの一例は塩素である。
【００７４】
第四級アンモニウム基の例としては、３−クロロ−２−ヒドロキシプロピルトリメチルアンモニウムクロリド（ＣＨＰＴＭＡＣ）、２，３−エポキシプロピルトリメチルアンモニウムクロリド（ＥＰＴＡＣ）、ジアリルジメチルアンモニウムクロリド（ＤＭＤＡＡＣ）、ビニルベンゼントリメチルアンモニウムクロリド、トリメチルアンモニウムエチルメタクリレートクロリド、メタクリルアミドプロピルトリメチルアンモニウムクロリドクロリド（ＭＡＰＴＡＣ）、およびテトラアルキルアンモニウムクロリドが挙げられる。
【００７５】
カチオン性グアーなどのカチオン性多糖類におけるカチオン性官能基の一例は、対イオンありの、トリメチルアミノ（２−ヒドロキシル）プロピルである。クロリド、フルオリド、ブロミド、およびヨージドなどのハライド、スルフェート、ナイトレート、メチルスルフェート、ならびにそれらの混合物を含むが、それらに限定されない、様々な対イオンを利用することができる。
【００７６】
本発明のカチオン性グアーは、カチオン性ヒドロキシエチルグアー、カチオン性ヒドロキシプロピルグアー、カチオン性ヒドロキシブチルグアーなどのカチオン性ヒドロキシアルキルグアー、ならびにカチオン性カルボキシメチルグアーなどのカチオン性カルボキシルアルキルグアー、カチオン性カルボキシルプロピルグアーおよびカチオン性カルボキシブチルグアーなどのカチオン性アルキルカルボキシグアー、カチオン性カルボキシメチルヒドロキシプロピルグアーからなる群から選択されてもよい。
【００７７】
例示的な実施形態では、本発明のカチオン性グアーは、グアーヒドロキシプロピルトリモニウムクロリドまたはヒドロキシプロピルグアーヒドロキシプロピルトリモニウムクロリドである。
【００７８】
本発明の、カチオン性グアーなどのカチオン性多糖は、１００，０００ダルトン〜３，５００，０００ダルトン、好ましくは１００，０００ダルトン〜１，５００，０００ダルトン、より好ましくは１００，０００ダルトン〜１，０００，０００ダルトンの平均分子量（Ｍｗ）を有してもよい。
【００７９】
好ましくは、本発明により使用される組成物は、組成物の総重量を基準として１重量％未満のカチオン性多糖を含む。より好ましくは、本組成物は、組成物の総重量を基準として０．０５〜１重量％のカチオン性多糖を含む。さらにより好ましくは、本組成物は、組成物の総重量を基準として０．１〜０．４重量％のカチオン性多糖を含む。
【００８０】
本出願との関連で、カチオン性グアーなどのカチオン性多糖類の用語「置換度（ＤＳ）」は、１単糖単位当たりの置換されたヒドロキシル基の平均数である。ＤＳはとりわけ、１単糖単位当たりのカルボキシメチル基の数を表してもよい。ＤＳは、滴定によって測定され得る。
【００８１】
カチオン性グアーなどのカチオン性多糖のＤＳは、０．０１〜１の範囲にあってもよい。好ましくは、カチオン性グアーなどのカチオン性多糖のＤＳは、０．０５〜１の範囲にある。より好ましくは、カチオン性グアーなどのカチオン性多糖のＤＳは、０．０５〜０．２の範囲にある。
【００８２】
本出願との関連で、カチオン性グアーなどのカチオン性多糖類の「電荷密度（ＣＤ）」は、ポリマーを構成するモノマー単位上の正電荷の数対前記モノマー単位の分子量の比を意味する。
【００８３】
カチオン性グアーなどのカチオン性多糖のＣＤは、０．１〜３（ミリ当量／グラム）の範囲にある。好ましくは、カチオン性グアーなどのカチオン性多糖のＣＤは、０．１〜２（ミリ当量／グラム）の範囲にある。より好ましくは、カチオン性グアーなどのカチオン性多糖のＣＤは、０．１〜１（ミリ当量／グラム）の範囲にある。
【００８４】
本組成物中の第四級アンモニウム化合物の重量と、本組成物中の非イオン性多糖および任意選択的にカチオン性多糖の総重量との比は、１００：１〜２：１、より好ましくは３０：１〜５：１であってもよい。
【００８５】
本組成物中のカチオン性多糖の重量と、本組成物中の非イオン性多糖の重量との比は、１：１０〜１０：１、より好ましくは、１：３〜３：１であってもよい。
【００８６】
本発明の別の態様では、本組成物は、芳香物質または香料をさらに含んでもよい。
【００８７】
本明細書で用いるところでは、用語「芳香物質または香料」は、所望の嗅覚特性を有し、かつ本質的に非毒性である任意の有機物質または組成物を意味する。そのような物質または組成物は、香料にまたは家庭用組成物（洗濯洗剤、布帛コンディショニング組成物、石鹸、多目的クリーナー、浴室クリーナー、床クリーナー）またはパーソナルケア組成物に一般に使用されるすべての芳香物質または香料を包含する。関連する化合物は、起源が天然、半合成または合成であってもよい。
【００８８】
好ましい芳香物質および香料は、炭化水素、アルデヒドまたはエステルを含む部類の物質に割り当てられてもよい。芳香物質および香料はまた、構成物質、すなわち、アーモンド、リンゴ、サクランボ、ブドウ、西洋ナシ、パイナップル、オレンジ、レモン、イチゴ、ラズベリーなどのフルーツ；ジャコウ；ラベンダー、ジャスミン、ユリ、モクレン、バラ、アイリス、カーネーションなどの花の香り；ローズマリー、タイム、セージなどのハーブの香り；マツ、トウヒ、シーダーなどの森林の香りの複雑な混合物を含んでもよい、天然抽出物および／またはエッセンスを包含する。
【００８９】
合成および半合成芳香物質および香料の非限定的な例は、７−アセチル−１，２，３，４，５，６，７，８−オクタヒドロ−１，１，６，７−テトラメチルナフタレン、α−ヨノン、β−ヨノン、γ−ヨノン、α−イソメチルヨノン、メチルセドリロン、メチルジヒドロジャスモネート、メチル１，６，１０−トリメチル−２，５，９−シクロドデカトリエン−１−イルケトン、７−アセチル−１，１，３，４，４，６−ヘキサメチルテトラリン、４−アセチル−６−ｔｅｒｔ−ブチル−１，１−ジメチルインダン、ヒドロキシフェニルブタノン、ベンゾフェノン、メチルｂ−ナフチルケトン、６−アセチル−１，１，２，３，３，５−ヘキサメチルインダン、５−アセチル−３−イソプロピル−１，１，２，６−テトラメチルインダン、１−ドデカナール、４−（４−ヒドロキシ−４−メチルペンチル）−３−シクロヘキセン−１−カルボキシアルデヒド、７−ヒドロキシ−３，７−ジメチルオクタナール、１０−ウンデセン−１−アル、イソヘキセニルシクロヘキシルカルボキシアルデヒド、ホルミルトリシクロデカン、ヒドロキシシトロネラルとメチルアントラニレートとの縮合生成物、ヒドロキシシトロネラルとインドールとの縮合生成物、フェニルアセトアルデヒドとインドールとの縮合生成物、２−メチル−３−（パラ−ｔｅｒｔ−ブチルフェニル）プロピオンアルデヒド、エチルバニリン、ヘリオトロピン、ヘキシル桂皮アルデヒド、アミル桂皮アルデヒド、２−メチル−２−（イソプロピルフェニル）プロピオンアルデヒド、クマリン、γ−デカラクトン、シクロペンタデカノリド、１６−ヒドロキシ−９−ヘキサデセン酸ラクトン、１，３，４，６，７，８−ヘキサヒドロ−４，６，６，７，８，８−ヘキサメチルシクロペンタ−ｇ−ベンゾピラン、β−ナフトールメチルエーテル、アンブロキサン、ドデカヒドロ−３ａ，６，６，９ａ−テトラメチルナフト［２，１ｂ］フラン、セドロール、５−（２，２，３−トリメチルシクロペンテ−３−ニル）−３−メチルペンタン−２−オール、２−エチル−４−（２，２，３−トリメチル−３−シクロペンテン−１−イル）−２−ブテン−１−オール、カリオフィレンアルコール、トリシクロデセニルプロピオネート、トリシクロデセニルアセテート、サリチル酸ベンジル、セドリルアセテート、およびｔｅｒｔ−ブチルシクロヘキシルアセテートである。
【００９０】
以下のものが、特に好ましい：
ヘキシル桂皮アルデヒド、２−メチル−３−（ｔｅｒｔ−ブチルフェニル）プロピオンアルデヒド、７−アセチル−１，２，３，４，５，６，７，８−オクタヒドロ−１，１，６，７−テトラメチルナフタレン、サリチル酸ベンジル、７−アセチル−１，１，３，４，４，６−ヘキサメチルテトラリン、パラ−ｔｅｒｔ−ブチルシクロヘキシルアセテート、メチルジヒドロジャスモネート、（β−ナフトールメチルエーテル、メチルｇ−ナフチルケトン、２−メチル−２−（パラ−イソプロピルフェニル）プロピオンアルデヒド、１，３，４，６，７，８−ヘキサヒドロ−４，６，６，７，８，８−ヘキサメチルシクロペンタ−ｇ−２−ベンゾピラン、ドデカヒドロ−３ａ，６，６，９ａ−テトラメチルナフト［２，１ｂ］フラン、アニスアルデヒド、クマリン、セドロール、バニリン、シクロペンタデカノリド、トリシクロデセニルアセテートおよびトリシクロデセニルプロピオネート。
【００９１】
他の芳香物質および香料は、例えば、ペルーバルサム、オリバナム樹脂状物質、エゴノキ科、ラブダナム樹脂、ナツメグ、カッシア油、ベンゾイン樹脂、コリアンダー、およびラバンジンなどの多くの源からのエッセンシャルオイル、樹脂状物質および樹脂である。
【００９２】
さらなる好適な芳香物質および香料としては、フェニルエチルアルコール、テルピネオール、リナロール、リナリルアセテート、ゲラニオール、ネロール、２−（１，１−ジメチルエチル）シクロ−ヘキサノールアセテート、ベンジルアセテート、およびオイゲノールが挙げられる。
【００９３】
芳香物質または香料は、単一物質としてかまたは互いの混合物で使用することができる。
【００９４】
芳香物質および香料のいくつかまたはすべては、カプセル化されてもよく、カプセル化することが有利である典型的な芳香成分としては、比較的低沸点のものが挙げられる。低いＣｌｏｇ  Ｐを有する、好ましくは３．０未満のＣｌｏｇ  Ｐの芳香成分（すなわち、水中へ分配されるであろうもの）をカプセル化することも有利である。本明細書で用いるところでは、用語「Ｃｌｏｇ  Ｐ」は、オクタノール／水分配係数（Ｐ）の計算される常用対数を意味する。
【００９５】
香料は、しばしば、溶剤または希釈剤、例えば、エタノール、イソプロパノール、ジエチレングリコールモノエチルエーテル、ジプロピレングリコール、ジエチルフタレートおよびクエン酸トリエチルを含む。
【００９６】
本発明のさらに別の態様では、本組成物は、次の任意選択の原料の１つまたは複数を含んでもよい：分散剤、安定剤、レオロジー変性剤、ｐＨ調整剤、着色剤、増白剤、脂肪アルコール、脂肪酸、染料、賦香剤、プロ香料、シクロデキストリン、溶剤、防汚ポリマー、防腐剤、抗菌剤（ａｎｔｉｍｉｃｒｏｂｉａｌ  ａｇｅｎｔ）、塩素捕捉剤、抗収縮剤、布帛クリスピング剤、スポッティング剤、酸化防止剤、腐食防止剤、増粘剤、ドレープおよびフォームコントロール剤、平滑剤、静電気制御剤、収縮制御剤、浄化剤、殺菌剤、細菌制御剤、かび制御剤、うどん粉菌制御剤、抗ウィルス剤、抗菌剤（ａｎｔｉ−ｍｉｃｒｏｂｉａｌ）、乾燥剤、汚染抵抗剤、防汚剤、悪臭制御剤、布帛リフレッシング剤、塩素漂白臭気制御剤、染料固定剤、染料移動防止剤、カラーメンテナンス剤、カラー復元／再生剤、退色防止剤、白色度エンハンサー、摩耗防止剤、耐摩耗性剤、布帛インテグリティ剤、抗摩耗剤、泡抑制剤および泡止め剤、リンス助剤、ＵＶ防護剤、日光色褪せ防止剤、防虫剤、抗アレルギー剤、酵素、難燃剤、防水剤、布帛快適剤、水質調整剤、収縮抵抗剤、耐ストレッチ剤、ならびにそれらの混合物。そのような任意選択の原料は、任意の所望の順番で組成物に添加されてもよい。
【００９７】
これは、すべての可能性の網羅的な記載と見なされなければならないものではなく、他方では、当業者に周知である、他の任意選択の成分に言及する際に下記が挙げられてもよい：
ａ）シリコーン、アミンオキシド、ラウリルエーテルスルフェートもしくはラウリルスルフェート、スルホスクシネートなどのアニオン界面活性剤、アンホアセテートなどの両性界面活性剤、ポリソルベート、ポリグリコシド誘導体などの非イオン界面活性剤、ならびにポリクオタニウムなどのカチオン性ポリマーなどの組成物の柔軟化性能を向上させる他の製品；
ｂ）組成物の０〜１５重量％のレベルで典型的に使用される、例えばトリエタノールアミン、Ｎ−メチルジエタノールアミンなどの、第四級化されているまたは第四級化されていない、短鎖を有するアミンの塩、ならびにまたエトキシル化脂肪アルコール、エトキシル化脂肪アミン、ポリソルベート、およびエトキシル化アルキルフェノールなどの非イオン界面活性剤などの安定化製品；
ｃ）粘度調整を改善する製品、例えば、塩化カルシウム、塩化マグネシウム、硫酸カルシウム、塩化ナトリウムなどの無機塩；グリセロール、ポリグリセロール、エチレングリコール、ポリエチレングリコール、ジプロピレングリコール、他のポリグリコールなどのグリコール型の化合物など、濃厚組成物での安定性を向上させるために使用することができる製品；ならびに希釈組成物用の増粘剤、例えば、セルロース、グアーなどから誘導される天然ポリマー、またはアクリルアミドベースのポリマー（例えばＳＮＦ社製のＦｌｏｓｏｆｔ  ２２２）、疎水変性したエトキシル化ウレタン（例えばＤｏｗ社製のＡｃｕｓｏｌ  ８８０）などの合成ポリマー；
ｄ）任意のタイプの無機酸および／または有機酸、例えば塩酸、硫酸、リン酸、クエン酸などの、好ましくは２〜６であるｐＨを調整するための成分；
ｅ）テレフタレートをベースとする公知のポリマーまたはコポリマーなどの防汚を向上させる試剤；
ｆ）殺菌性防腐剤；
ｇ）酸化防止剤、着色剤、香料、殺菌剤、殺真菌剤、腐食防止剤、防しわ剤、乳白剤、蛍光増白剤、真珠光沢剤などの他の製品。
【００９８】
本組成物は、シリコーン化合物を含んでもよい。本発明のシリコーン化合物は、線状または分岐構造のシリコーンポリマーであることができる。本発明のシリコーンは、単一ポリマーまたはポリマーの混合物であることができる。好適なシリコーン化合物としては、ポリアルキルシリコーン、アモノシリコーン、シロキサン、ポリジメチルシロキサン、エトキシル化オルガノシリコーン、プロポキシル化オルガノシリコーン、エトキシル化／プロポキシル化オルガノシリコーンおよびにそれらの混合物が挙げられる。好適なシリコーンとしては、Ｗａｃｋｅｒ（登録商標）ＦＣ２０１およびＷａｃｋｅｒ（登録商標）ＦＣ  ２０５などのＷａｃｋｅｒ  Ｃｈｅｍｉｃａｌから入手可能なものが挙げられるが、それらに限定されない。
【００９９】
本組成物は、架橋剤を含んでもよい。以下のものが架橋剤の非限定的なリストである：メチレンビスアクリルアミド（ＭＢＡ）、エチレングリコールジアクリレート、ポリエチレングリコールジメタクリレート、ジアクリルアミド、トリアリルアミン、シアノメチルアクリレート、ビニルオキシエチルアクリレートもしくはメタクリレートおよびホルムアルデヒド、グリオキサール、エチレングリコールジグリシジルエーテルなどのグリシジルエーテル型の化合物、またはエポキシドもしくは架橋を可能にする専門家に知られた任意の他の手段。
【０１００】
本組成物は、少なくとも１つの界面活性剤系を含んでもよい。多数の供給源から商業的に入手可能である、カチオン、非イオンおよび／または両性界面活性剤などの様々な界面活性剤を本発明の組成物に使用することができる。界面活性剤の考察については、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，ｖｏｌｕｍｅ  ８，ｐａｇｅｓ  ９００−９１２を参照されたい。好ましくは、本組成物は、所望のレベルの柔らかさを布帛に提供するのに有効な量で、好ましくは約５〜約１０重量％の量で界面活性剤系を含む。
【０１０１】
本組成物は、酸性染料、疎水性染料、塩基性染料、反応染料、染料結合体などの染料を含んでもよい。好適な酸性染料としては、ａｃｉｄ  ｂｌｕｅ  ９８、ａｃｉｄ  ｖｉｏｌｅｔ  ５０、およびａｃｉｄ  ｂｌｕｅ  ５９などのアジン染料、ａｃｉｄ  ｖｉｏｌｅｔ  １７、ａｃｉｄ  ｂｌａｃｋ  １およびａｃｉｄ  ｂｌｕｅ  ２９などの非アジン酸性染料が挙げられる。ベンゾジフラン、メチン、トリフェニルメタン、ナフタルイミド、ピラゾール、ナフトキノン、アントラキノンおよびモノアゾまたはジアゾ染料発色団から選択される疎水性染料である。好適な疎水性染料は、いかなる帯電した水可溶化基も含有しないそれらの染料である。疎水性染料は、分散染料およびソルベント染料の群から選択されてもよい。ブルーおよびバイオレットアントラキノンおよびモノアゾ染料が好ましい。塩基性染料は、正味の正電荷を有する有機染料である。それらは、木綿上へ沈着する。それらは、カチオン界面活性剤を主に含有する組成物に使用されるのに特に有用である。染料は、Ｃｏｌｏｕｒ  Ｉｎｄｅｘ  Ｉｎｔｅｒｎａｔｉｏｎａｌにリストアップされているｂａｓｉｃ  ｖｉｏｌｅｔ（ベーシックバイオレット）およびｂａｓｉｃ  ｂｌｕｅ（ベーシックブルー）染料から選択されてもよい。好ましい例としては、トリアリールメタン塩基性染料、メタン塩基性染料、アントラキノン塩基性染料、ｂａｓｉｃ  ｂｌｕｅ  １６、ｂａｓｉｃ  ｂｌｕｅ  ６５、ｂａｓｉｃ  ｂｌｕｅ  ６６、ｂａｓｉｃ  ｂｌｕｅ  ６７、ｂａｓｉｃ  ｂｌｕｅ  ７１、ｂａｓｉｃ  ｂｌｕｅ  １５９、ｂａｓｉｃ  ｖｉｏｌｅｔ  １９、ｂａｓｉｃ  ｖｉｏｌｅｔ  ３５、ｂａｓｉｃ  ｖｉｏｌｅｔ  ３８、ｂａｓｉｃ  ｖｉｏｌｅｔ  ４８；ｂａｓｉｃ  ｂｌｕｅ  ３、ｂａｓｉｃ  ｂｌｕｅ  ７５、ｂａｓｉｃ  ｂｌｕｅ  ９５、ｂａｓｉｃ  ｂｌｕｅ  １２２、ｂａｓｉｃ  ｂｌｕｅ  １２４、ｂａｓｉｃ  ｂｌｕｅ  １４１が挙げられる。反応染料は、セルロースと反応し、かつ共有結合で染料をセルロースに結び付けることができる有機基を含有する染料である。好ましくは、反応性基は加水分解されるか、または染料の反応性基は、ポリマーなどの有機化学種と、染料をこの化学種に結び付けるために反応している。染料は、Ｃｏｌｏｕｒ  Ｉｎｄｅｘ  Ｉｎｔｅｒｎａｔｉｏｎａｌにリストアップされているｒｅａｃｔｉｖｅ  ｖｉｏｌｅｔおよびｒｅａｃｔｉｖｅ  ｂｌｕｅ染料から選択されてもよい。好ましい例としては、ｒｅａｃｔｉｖｅ  ｂｌｕｅ  １９、ｒｅａｃｔｉｖｅ  ｂｌｕｅ  １６３、ｒｅａｃｔｉｖｅ  ｂｌｕｅ  １８２およびｒｅａｃｔｉｖｅ  ｂｌｕｅ、ｒｅａｃｔｉｖｅ  ｂｌｕｅ  ９６が挙げられる。染料結合体は、直接染料、酸性染料または塩基性染料を物理的力によってポリマーまたは粒子に結び付けることによって形成される。ポリマーまたは粒子の選択に依存して、それらは、木綿または合成物質上に沈着する。説明は、国際公開第２００６／０５５７８７号パンフレットに示されている。特に好ましい染料は、ｄｉｒｅｃｔ  ｖｉｏｌｅｔ  ７、ｄｉｒｅｃｔ  ｖｉｏｌｅｔ  ９、ｄｉｒｅｃｔ  ｖｉｏｌｅｔ  １１、ｄｉｒｅｃｔ  ｖｉｏｌｅｔ  ２６、ｄｉｒｅｃｔ  ｖｉｏｌｅｔ  ３１、ｄｉｒｅｃｔ  ｖｉｏｌｅｔ  ３５���ｄｉｒｅｃｔ  ｖｉｏｌｅｔ  ４０、ｄｉｒｅｃｔ  ｖｉｏｌｅｔ  ４１、ｄｉｒｅｃｔ  ｖｉｏｌｅｔ  ５１、ｄｉｒｅｃｔ  ｖｉｏｌｅｔ  ９９、ａｃｉｄ  ｂｌｕｅ  ９８、ａｃｉｄ  ｖｉｏｌｅｔ  ５０、ａｃｉｄ  ｂｌｕｅ  ５９、ａｃｉｄ  ｖｉｏｌｅｔ  １７、ａｃｉｄ  ｂｌａｃｋ  １、ａｃｉｄ  ｂｌｕｅ  ２９、ｓｏｌｖｅｎｔ  ｖｉｏｌｅｔ  １３、ｄｉｓｐｅｒｓｅ  ｖｉｏｌｅｔ  ２７、ｄｉｓｐｅｒｓｅ  ｖｉｏｌｅｔ  ２６、ｄｉｓｐｅｒｓｅ  ｖｉｏｌｅｔ  ２８、ｄｉｓｐｅｒｓｅ  ｖｉｏｌｅｔ  ６３、ｄｉｓｐｅｒｓｅ  ｖｉｏｌｅｔ  ７７およびそれらの混合物である。本発明の固体組成物は、１つまたは複数の香料を含んでもよい。香料は、固体組成物の総重量を基準として、好ましくは０．０１〜２０重量％、より好ましくは０．０５〜１０重量％、さらにより好ましくは０．０５〜５重量％、最も好ましくは０．０５〜１．５重量％の量で存在する。
【０１０２】
本組成物は、抗菌剤を含んでもよい。抗菌剤は、ハロゲン化物質であってもよい。好適なハロゲン化物質としては、５−クロロ−２−（２，４−ジクロロフェノキシ）フェノール、ｏ−ベンジル−ｐ−クロロ−フェノール、および４−クロロ−３−メチルフェノールが挙げられる。あるいは、抗菌剤は、非ハロゲン化物質であってもよい。好適な非ハロゲン化物質としては、２−フェニルフェノールおよび２−（１−ヒドロキシ−１−メチルエチル）−５−メチルシクロヘキサノールが挙げられる。フェニルエーテルは、抗菌剤の１つの好ましいサブセットである。抗菌剤はまた、ビ−ハロゲン化化合物であってもよい。最も好ましくは、これは、４−４’ジクロロ−２−ヒドロキシジフェニルエーテル、および／または２，２−ジブロモ−３−ニトリロプロピオンアミド（ＤＢＮＰＡ）を含む。
【０１０３】
本組成物はまた、防腐剤を含んでもよい。好ましくは、皮膚感作可能性をまったく有さないか、またはわずかに有するにすぎないそれらの防腐剤のみが使用される。例は、フェノキシエタノール、３−ヨード−２−プロピニルブチルカルバメート、Ｎ−（ヒドロキシメチル）グリシン酸ナトリウム、ビフェニル−２−オールおよびそれらの混合物である。
【０１０４】
本組成物はまた、固体組成物へのおよび／または被処理織布への酸素および他の酸化プロセスによって引き起こされる望ましくない変化を防ぐための酸化防止剤を含んでもよい。この部類の化合物としては、例えば、置換フェノール、ヒドロキノン類、ピロカテコール類、芳香族アミンおよびビタミンＥが挙げられる。
【０１０５】
本組成物は、疎水剤を含んでもよい。疎水剤は、全組成物の重量で０．０５〜１．０重量％、好ましくは０．１〜０．８重量％、より好ましくは０．２〜０．７、最も好ましくは０．４〜０．７重量％、例えば０．２〜０．５重量％の量で存在してもよい。疎水剤は、４〜９、好ましくは４〜７、最も好ましくは５〜７のＣｌｏｇＰを有してもよい。
【０１０６】
好適な疎水剤としては、脂肪酸とアルコールとの反応から誘導されるエステルが挙げられる。脂肪酸は、好ましくは、Ｃ８〜Ｃ２２の炭素鎖長を有し、飽和または不飽和、好ましくは飽和であってもよい。いくつかの例としては、ステアリン酸、パルミチン酸、ラウリン酸およびミリスチン酸が挙げられる。アルコールは、線状、分岐または環状であってもよい。線状または分岐アルコールは、１〜６の好ましい炭素鎖長を有する。好ましいアルコールとしては、メタノール、エタノール、プロパノール、イソプロパノール、ソルビトールが挙げられる。好ましい疎水剤としては、そのような脂肪酸とアルコールとから誘導されるメチルエステル、エチルエステル、プロピルエステル、イソプロピルエステルおよびソルビタンエステルが挙げられる。
【０１０７】
好適な疎水剤の非限定的な例としては、少なくともＣ１０からの炭素鎖長を有する脂肪酸から誘導されるメチルエステル、少なくともＣ１０からの炭素鎖長を有する脂肪酸から誘導されるエチルエステル、少なくともＣ８からの炭素鎖長を有する脂肪酸から誘導されるプロピルエステル、少なくともＣ８からの炭素鎖長を有する脂肪酸から誘導されるイソプロピルエステル、少なくともＣ１６からの炭素鎖長を有する脂肪酸、およびＣ１０超の炭素鎖長のアルコールから誘導されるソルビタンエステルが挙げられる。天然に存在する脂肪酸は、一般に、Ｃ２２以下の炭素鎖長を有する。
【０１０８】
いつくかの好ましい物質としては、メチルウンデカノエート、エチルデカノエート、プロピルオクタノエート、イソプロピルミリステート、ソルビタンステアレートおよび２−メチルウンデカノール、エチルミリステート、メチルミリステート、メチルラウレート、イソプロピルパルミテートおよびエチルステアレート；より好ましくはメチルウンデカノエート、エチルデカノエート、イソプロピルミリステート、ソルビタンステアレート、２−メチルウンデカノール、エチルミリステート、メチルミリステート、メチルラウレートおよびイソプロピルパルミテートが挙げられる。
【０１０９】
そのような物質の非限定的な例としては、メチルウンデカノエート、エチルデカノエート、プロピルオクタノエート、イソプロピルミリステート、ソルビタンステアレートおよび２−メチルウンデカノール；好ましくはメチルウンデカノエート、エチルデカノエート、イソプロピルミリステート、ソルビタンステアレートおよび２−メチルウンデカノールが挙げられる。
【０１１０】
本組成物は、消泡剤を含んでもよい。消泡剤は、全組成物の重量で、および１００パーセント消泡活性を基準として、０．０２５〜０．４５重量％、好ましくは０．０３〜０．４重量％、最も好ましくは０．０５〜０．３５重量％、例えば０．０７〜０．４重量％の量で存在してもよい。多種多様な物質が消泡剤として使用されてもよく、消泡剤は、当業者に周知である。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｔｈｉｒｄ  Ｅｄｉｔｉｏｎ，Ｖｏｌｕｍｅ  ７，ｐａｇｅｓ  ４３０〜４４７（Ｊｏｈｎ  Ｗｉｌｅｙ  ａｎｄ  Ｓｏｎｓ，Ｉｎｃ．，１９７９）を参照されたい。
【０１１１】
好適な消泡剤としては、例えば、シリコーン消泡剤化合物、アルコール消泡剤化合物、例えば２−アルキルアルカノール消泡剤化合物、脂肪酸、パラフィン消泡剤化合物、ならびにそれらの混合物が挙げられる。消泡剤化合物とは、本明細書では、洗剤組成物の溶液により、特にその溶液のかき混ぜの存在下でもたらされる発泡または泡立ちを抑制するなどの役割を果たす任意の化合物または化合物の混合物を意味する。
【０１１２】
本明細書で使用するための特に好ましい消泡剤は、シリコーン成分を含む任意の消泡剤化合物および本明細書で定義されるシリコーン消泡剤化合物である。多くのそのようなシリコーン消泡剤化合物はまた、シリカ成分を含有する。用語「シリコーン」は、本明細書で用いるところでは、および一般に当業界の全体にわたって、ポリジメチル−シロキサンなどのポリオルガノシロキサンオイル、ポリオルガノシロキサンオイルまたは樹脂の分散系またはエマルジョン、ならびにポリオルガノシロキサンとシリカ粒子との組み合わせであって、ポリオルガノシロキサンがシリカ上へ化学吸着しているかまたは融合している組み合わせのような、シロキサン単位と様々なタイプのヒドロカルビル基とを含有する様々な比較的高い分子量のポリマーを包含する。シリカ粒子は多くの場合、例えばトリメチルシロキシシリケートのように疎水性化されている。シリコーン消泡剤は、当技術分野で周知であり、例えば、１９８１年５月５、２５日発行の米国特許第４，２６５，７７９号明細書および１９９０年２月７日公開の欧州特許第８９３０７８５１．９号明細書に開示されている。他のシリコーン消泡剤化合物は、米国特許第３，４５５，８３９号明細書に開示されている。粒状洗剤組成物中のシリコーン泡抑制剤および泡立ち制御剤は、米国特許第３，９３３，６７２，３５号明細書および１９８７年３月２４日発行の米国特許第４，６５２，３９２号明細書に開示されている。好適なシリコーン消泡剤化合物の例は、Ｄｏｗ  Ｃｏｒｎｉｎｇ、Ｗａｃｋｅｒ  ＣｈｅｍｉｅおよびＭｏｍｅｎｔｉｖｅから商業的に入手可能なポリオルガノシロキサンとシリカ粒子との組み合わせである。
【０１１３】
他の好適な消泡剤化合物としては、脂肪モノカルボン酸およびそれらの可溶性塩が挙げられる。これらの物質は、米国特許第２，９５４，３４７号明細書に記載されている。消泡剤として使用するための脂肪モノカルボン酸およびそれらの塩は、典型的には、商品名ＴＡＰＡＣで商業的に入手可能な牛脂アンホポリカルボキシグリシネートのように約１０〜約２４個の炭素原子、好ましくは約１２〜約１８個の炭素原子のヒドロカルビル鎖を有する。好適な塩としては、ナトリウム、カリウム、およびリチウム塩などのアルカリ金属塩、ならびにアンモニウムおよびアルカノールアンモニウム塩が挙げられる。
【０１１４】
他の好適な消泡剤化合物としては、例えば、パラフィン、軽石油無臭炭化水素などの高分子量炭化水素、脂肪エステル（例えば、脂肪酸トリグリセリド、グリセリル誘導体、ポリソルベート）、一価アルコールの脂肪酸エステル、脂肪族Ｃ１８〜４０ケトン（例えばステアロン）、塩化シアヌルと、２または３モルの１〜２４個の炭素原子を含有する第一級または第二級アミンとの生成物として形成されるトリ−〜ヘキサ−１０アルキルメラミンまたはジ−〜テトラアルキルジアミンクロロトリアジンなどのＮ−アルキル化アミノトリアジン、プロピレンオキシド、ビスステアリン酸アミドおよびモノステアリルアルコールホスフェートエステルなどのモノステアリルホスフェートおよびモノステアリルジ−アルカリ金属（例えば、Ｋ、Ｎａ、およびＬｉ）ホスフェートおよびホスフェートエステル、ならびに非イオン性ポリヒドロキシル誘導体が挙げられる。パラフィンおよび１５ハロパラフィンなどの炭化水素を液体形態で利用することができる。液体炭化水素は、室温および大気圧で液体であり、約−４０℃〜約５℃の範囲での流動点および約１１０℃（大気圧）以上の最低沸点を有するであろう。約１００℃未満の融点を好ましくは有するワックス状炭化水素を利用することも知られている。炭化水素泡立ち抑制剤は、例えば、米国特許第４，２６５，７７９号明細書に記載されている。したがって、炭化水素としては、約１２〜約７０個の炭素原子を有する脂肪族、脂環式、芳香族、および複素環の飽和または不飽和炭化水素が挙げられる。用語「パラフィン」は、この泡立ち抑制剤考察において用いるところでは、真のパラフィンと環状炭化水素との混合物を含むことを意図する。エチレンオキシドとプロピレンオキシドとのコポリマー、特に、約１０〜約１６個の炭素原子のアルキル鎖長、約３〜約３０のエトキシル化度および約１〜約１０のプロポキシル化度の混合エトキシル化／プロポキシル化脂肪アルコールがまた、本明細書で使用するための好適な消泡剤化合物である。
【０１１５】
本明細書で有用な他の消泡剤は、第二級アルコール（例えば、独国特許第４０  ２１  ２６５号明細書に記載されているような２−アルキルアルカノール）ならびにそのようなアルコールと、米国特許第４，７９８，６７９号明細書および欧州特許第１５０，８７２号明細書に開示されているシリコーンなどのシリコーンオイルとの混合物を含む。第二級アルコールとしては、商品名ＩＳＯＦＯＬ  １６で商業的に入手可能な２−ヘキシルデカノール、商品名ＩＳＯＦＯＬ２０で商業的に入手可能な２−オクチルドデカノール、およびＣｏｎｄｅａから商標ＩＳＯＦＯＬ  １２で入手可能である２−ブチルオクタノールのようなＣ１〜Ｃ１６鎖を有するＣ６〜Ｃ１６アルキルアルコールが挙げられる。好ましいアルコールは、商標ＩＳＯＦＯＬ  １２でＣｏｎｄｅａから入手可能である、２−ブチルオクタノールである。第二級アルコールの混合物は、Ｅｎｉｃｈｅｍから商標ＩＳＡＬＣＨＥＭ  １２３で入手可能である。混合消泡剤は、典型的には、約１：５〜約５：１の重量比でのアルコール対シリコーンの混合物を含む。さらなる好ましい消泡剤は、Ｗａｃｋｅｒ  Ｃｈｅｍｉｅから入手可能なＳｉｌｉｃｏｎｅ  ＳＲＥ銘柄ならびにＳｉｌｉｃｏｎｅ  ＳＥ  ４７Ｍ、ＳＥ３９、ＳＥ２、ＳＥ９およびＳＥ１０；Ｄｏｗ  ＣｏｒｎｉｎｇのＢＦ２０＋、ＤＢ３１０、ＤＣ１４１０、ＤＣ１４３０、２２２１０、ＨＶ４９５およびＱ２−１６０７；Ｂａｓｉｌｄｏｎによって供給されるＦＤ２０ＰおよびＢＣ２６００；ならびにＭｏｍｅｎｔｉｖｅのＳＡＧ  ７３０である。Ｈａｎｄ  Ｂｏｏｋ  ｏｆ  Ｆｏｏｄ  Ａｄｄｉｔｉｖｅｓ，ＩＳＢＮ  ０−５６６−０７５９２−Ｘ，ｐ．８０４などの文献に記載されている他の好適な消泡剤は、ジメチコーン、ポロキサマー、ポリプロピレングリコール、牛脂誘導体、およびそれらの混合物から選択される。
【０１１６】
上に記載された消泡剤の中で、シリコーン消泡剤、特にポリオルガノシロキサンとシリカ粒子との組み合わせが好ましい。
【０１１７】
本組成物は、不凍剤を含んでもよい。下に記載されるような不凍剤が本組成物の凍結回復を改善するために使用される。
【０１１８】
不凍活性物は、４〜２２、好ましくは５〜２０、最も好ましくは６〜２０の平均アルコキシル化値を有するアルコキシル化非イオン界面活性剤であってもよい。アルコキシル化非イオン界面活性剤は、３〜６、好ましくは３．５〜５．５のＣｌｏｇＰを有してもよい。そのような非イオン界面活性剤の混合物が使用されてもよい。
【０１１９】
不凍剤として使用することができる好適な非イオン界面活性剤としては、疎水性基と反応性水素原子とを有する化合物、例えば脂肪族アルコール、酸、またはアルキルフェノールと、アルキレンオキシド、好ましくは、単独でかまたはプロピレンオキシドと一緒にかのいずれかのエチレンオキシドとの反応生成物が特に挙げられる。
【０１２０】
好適な不凍剤はまた、アルコール、ジオールおよびエステルから選択されてもよい。特に好ましい追加の不凍剤は、モノプロピレングリコール（ＭＰＧ）である。本発明の非イオン性不凍成分の範囲外であるが、本発明の組成物にさらに含められてもよい他の非イオン性不凍材としては、アルキルポリグリコシド、エトキシル化ヒマシ油、およびソルビタンエステルが挙げられる。
【０１２１】
さらなる好適な不凍剤は、パラフィン、長鎖アルコールおよび幾つかのエステル、例えばグリセロールモノステアレート、イソブチルステアレートおよびイソプロピルパルミテートなどの欧州特許第００１８０３９号明細書に開示されているものである。また、Ｃ１０〜１２イソパラフィン、イソプロピルミリステートおよびジオクチルアダペートなどの米国特許第６，０６３，７５４号明細書に開示されている物質である。
【０１２２】
本組成物は、ポリマー粘度調整剤などの１つまたは複数の粘度調整剤を含んでもよい。好適なポリマー粘度調整剤としては、疎水変性セルロースエーテル（例えば、Ｈｅｒｃｕｌｅｓの、Ｎａｔｒｏｓｏｌ  Ｐｌｕｓ）、カチオン変性デンプン（例えば、両方ともＡｖｅｂｅのＳｏｆｔｇｅｌ  ＢＤＡおよびＳｏｆｔｇｅｌ  ＢＤ）などの非イオン性およびカチオン性ポリマーが挙げられる。特に好ましい粘度調整剤は、（ＳＮＦ  Ｆｌｏｅｒｇｅｒの）商品名Ｆｌｏｓｏｆｔ  ２００で入手可能なメタクリレートとカチオン性アクリルアミドとのコポリマーである。
【０１２３】
本組成物は、安定剤を含んでもよい。安定剤は、水不溶性のカチオン性物質と、炭化水素、脂肪酸、脂肪エステルおよび脂肪アルコールから選択される非イオン性物質との混合物であってもよい。
【０１２４】
本組成物は、８〜１８、好ましくは１１〜１６、より好ましくは１２〜１６、最も好ましくは１６のＨＬＢ値を有する非イオン性アルコキシル化物質であってもよい、フロック防止剤を含んでもよい。非イオン性アルコキシル化物質は、線状または分岐、好ましくは線状であることができる。好適なフロック防止剤としては、非イオン界面活性剤が挙げられる。好適な非イオン界面活性剤としては、エチレンオキシドおよび／またはプロピレンオキシドと、脂肪アルコール、脂肪酸および脂肪アミンとの付加生成物が挙げられる。フロック防止剤は、好ましくは、（ａ）エチレンオキシド、プロピレンオキシドおよびそれらの混合物から選択されるアルコキシドと、（ｂ）脂肪アルコール、脂肪酸および脂肪アミンから選択される脂肪物質との付加生成物から選択される。
【０１２５】
本組成物は、ポリマー増粘剤を含んでもよい。好適なポリマー増粘剤は、水溶性または水分散性である。ポリマー増粘剤のモノマーは、非イオン性、アニオン性またはカチオン性であってもよい。以下のものは、非イオン性機能を果たすモノマーの非限定的なリストである：アクリルアミド、メタクリルアミド、Ｎ−アルキルアクリルアミド、Ｎ−ビニルピロリドン、Ｎ−ビニルホルムアミド、Ｎ−ビニルアセトアミド、酢酸ビニル、ビニルアルコール、アクリレートエステル、アリルアルコール。以下のものは、アニオン性機能を果たすモノマーの非限定的なリストである：アクリル酸、メタクリル酸、イタコン酸、クロトン酸、マレイン酸、フマル酸、ならびに２−アクリルアミド−２−メチルプロパンスルホン酸（ＡＴＢＳ）などのスルホン酸もしくはホスホン酸機能を果たすモノマーなど。モノマーはまた、疎水性基を含有してもよい。好適なカチオン性モノマーは、以下のモノマーおよび誘導体ならびにそれらの第四級塩または酸塩からなる群から選択される：ジメチルアミノプロピルメタクリルアミド、ジメチルアミノプロピルアクリルアミド、ジアリルアミン、メチルジアリルアミン、ジアルキルアミノアルキル−アクリレートおよびメタクリレート、ジアルキルアミノアルキル−アクリルアミドまたは−メタクリルアミド。
【０１２６】
本発明の組成物に特に有用なポリマー増粘剤としては、国際公開第２０１０／０７８９５９号パンフレットに記載されているものが挙げられる。これらは、少なくとも１つのカチオン性モノマーと、任意選択的に他の非イオン性および／またはアニオン性モノマーとを有する架橋した水膨潤性のカチオン性コポリマーである。このタイプの好ましいポリマーは、アクリルアミドと、トリメチルアミノエチルアクリレートクロリドとのコポリマーである。
【０１２７】
好ましいポリマーは、全ポリマーの重量で２５パーセント未満、好ましくは２０パーセント未満、最も好ましくは１５パーセント未満の水溶性ポリマーと、ポリマーに対して５００ｐｐｍ〜５０００ｐｐｍ、好ましくは７５０ｐｐｍ〜５０００ｐｐｍ、より好ましくは１０００〜４５００ｐｐｍ（欧州特許第３４３８４０号明細書の８ページに記載されているものなどの好適な計測法によって測定されるような）の架橋剤濃度とを含む。架橋剤濃度は、ポリマーに対して約５００ｐｐｍ超、好ましくは使用される架橋剤がメチレンビスアクリルアミドである場合には約７５０ｐｐｍ超でなければならず、または他の架橋剤である場合には１０〜１０，０００ｐｐｍの当量架橋レベルをもたらす濃度でなければならない。
【０１２８】
本発明の組成物は、液体、液体−ゲル、ペースト様、水性形態か非水性形態かのいずれかでの泡、および当業者によって知られる任意の他の好適な形態などの様々な物理的形態を取ってもよい。より良好な分散性のために、本組成物の好ましい形態は、液体形態であり、水中の水性分散系の形態にある。液体形態にある場合、本組成物はまた、噴霧器またはエアロゾルディスペンサーなどの分配手段で分配されてもよい。
【０１２９】
いくつかの態様では、本発明の組成物は、液体布帛コンディショニング組成物である。液体形態にある場合、本組成物は、標準的な（希釈された）布帛柔軟剤の場合、０．１重量％〜２０重量％の布帛コンディショニング剤を含有してもよいが、非常に濃厚な布帛コンディショニング組成物の場合には３０重量％またはさらに４０重量％までのより高いレベルを含有してもよい。本組成物はまた、通常、組成物の残りを提供し得る水および他の添加剤を含有する。好適な液体キャリアは、水、有機溶剤およびそれらの混合物から選択される。本組成物に用いられる液体キャリアは、好ましくは、その低コスト、安全性、および環境適合性のために少なくとも第一に水である。水と有機溶剤との混合物が使用されてもよい。好ましい有機溶剤は、エタノール、プロパノール、イソ−プロパノールまたはブタノールなどの一価アルコール；グリコールなどの二価アルコール；グリセロールなどの三価アルコール、および多価（ポリオール）アルコールである。
【０１３０】
本発明の組成物は、当業者によって知られる任意の混合手段によって調製され得る。とりわけ、本組成物は、以下の工程を本質的に含む手順によって調製され得る：
（ｉ）非イオン性多糖、および任意選択的にカチオン性多糖の水性分散系を提供する工程。他の添加剤がまた水性分散系に添加されてもよい。かき混ぜおよび／または加熱が本工程を容易にするために提供されてもよい。好ましい一実施形態では、多糖の水性分散系のｐＨ値は、酸性剤を使用することによって３．５〜５の範囲にあるように調整される；
（ｉｉ）第四級アンモニウム化合物を、（ｉ）で得られた水性分散系と混合して、本発明の組成物を生じさせる工程。好ましくは、第四級アンモニウム化合物は、混合前に加熱することによって溶融させられる。かき混ぜおよび加熱をまた、本工程を容易にするために提供することができる。
【０１３１】
好ましくは、（ｉｉ）で得られる組成物のｐＨ値は、好適な酸性剤または塩基性剤を使用することにより、２．５〜８の範囲にあるように調整される。任意選択の添加剤がまた、この段階で本組成物に添加されてもよい。
【０１３２】
一態様では、本発明の組成物は、本組成物を含む水性媒体と布帛を接触させることによって使用されてもよい。本発明の組成物は、いわゆるリンスプロセスに使用することができる。典型的には、本発明の組成物は、（自動布帛洗濯機などの）自動洗濯機のリンスサイクル中に添加される。
【０１３３】
リンスプロセスで使用される場合、本組成物は、まず、水性リンス浴液に希釈される。その後、洗剤液で洗濯され、かつ第１の非効率的リンス工程（残留洗剤および／または汚れが布帛で持ち込まれる可能性があるという意味で「非効率的」である）で任意選択的にリンスされた被洗濯布帛は、希釈組成のリンス液中に入れられる。当然のことながら、本組成物はまた、布帛がその中に浸漬されたら直ちに水性浴中へ組み込まれてもよい。その工程後、かき混ぜがリンス浴液中で布帛に適用され、洗剤泡をつぶれさせ、かつ残留汚れおよび界面活性剤が除去される。布帛は、次に、任意選択的に乾燥前に絞ることができる。
【０１３４】
このリンスプロセスは、たらいまたはバケツ中で手動により、非自動化洗濯機で、または自動化洗濯機で行われてもよい。手洗いが行われる場合、被洗濯布帛は、洗剤液を除去され、絞り出される。本発明の組成物は、次に、新鮮水に添加されてもよく、布帛は、次に、直接または任意選択の非効率的な第１のリンス工程後、従来のリンス習慣に従って本組成物を含有する水中でリンスされる。布帛は、次に、常法を用いて乾燥させられる。
【０１３５】
本発明の主題はまた、成分（ｂ）０．０５〜１０重量％の非イオン性多糖の使用であって、第四級アンモニウム化合物と成分（ｂ）とを含む組成物を使用する場合に布帛の灰色化を低減するための使用を含む。
【０１３６】
参照により本明細書に援用される特許、特許出願および刊行物のいずれかの開示が用語を不明瞭にさせ得る程度まで本出願の記載と矛盾する場合、本記載が優先するものとする。
【０１３７】
以下の実施例は、本発明の実施形態を例示するために含められる。言うまでもなく、本発明は、記載される実施例に限定されない。
【実施例】
【０１３８】
以下の試料における組成物は、下に記載されるような原材料および／または手順を用いることによって調製した。
【０１３９】
ＴＥＰ：ジ（パルミチン酸カルボキシエチル）ヒドロキシエチルメチルアンモニウムメチルスルフェート；Ｆｅｎｔａｃａｒｅ  ＴＥＰ柔軟剤（Ｓｏｌｖａｙ製）；
非イオン性グアー：２，０００，０００〜３，０００，０００ダルトンの平均分子量を有するヒドロキシプロピルグアー；
カチオン性グアー：１，５００，０００ダルトンよりも下の平均分子量を有するグアーヒドロキシプロピルトリモニウムクロリド。
【０１４０】
白色度性能試験
原材料
標準白色布帛：ポリエステル／木綿  ６５／３５（ＰＥ／ＣＯ）、ポリエステル（ＰＥ）、ポリアミド  ６．６（ＰＡ）。寸法２０×２０ｃｍ×ｃｍ、ＷＦＫで購入。
汚れ：ｗｆｋ灰色化供与体、灰色化見本Ｉ、新しい見本を１洗濯サイクル当たりに使用する。
３Ｋｇ全重量までの白色木綿バラスト負荷
Ｍｉｅｌｅ  Ｎｏｖｏｔｒｏｎｉｃ  ＷＴ  ９４５洗濯機。
【０１４１】
バラスト負荷を、増白剤および漂白剤なしのＥＣＥ洗剤（ＷＦＫ）を使用して６０℃での３回洗濯で標準化する。２片の各標準白色布帛を１洗濯機負荷当たりで使用する。洗濯は、灰色化供与体の存在下で古典的な粉末洗濯洗剤（Ｘ−ｔｒａ  Ｔｏｔａｌ粉末４７ｇ／洗濯）を使用して行う。水道水約２８°ＴＨ（２８０ｐｐｍ）を使用する。最後のリンスで、最初に洗濯機のディスペンサーに入れられた１洗濯当たり２７．５ｇ柔軟剤を使用する。
【０１４２】
Ｙ，ｘ，ｙ色座標のＹ−値を、光源Ｄ６５および４２０ｎｍでのＵＶカットフィルタを使用して分光光度計により反射率を測定することによって得る。５つの測定結果を１布帛片当たりで取る。
【０１４３】
上の洗濯手順を５回繰り返す。灰色化見本を１洗濯サイクル当たりで使用する。
【０１４４】
下の系を試験した。
【０１４５】
0006804455.tif 000006
【０１４６】
得られた白色度の結果を下に示す。
【０１４７】
0006804455.tif 000007
【０１４８】
ＴＥＰ  １２重量％（試料１）が、ＰＥ／ＣＯおよびＰＥ布帛に関する２回および５回洗濯後に漸進的な重大な灰色化を示し、灰色化はＰＥ布帛でより顕著であることが観察される。
【０１４９】
ＴＥＰ  ４重量％と非イオン性グアーとを含む組成物、およびＴＥＰ  ４重量％と、非イオン性グアーおよびカチオン性グアーとを含む組成物（試料２および３）は、ＰＥ／ＣＯおよびＰＥに関する５回洗濯後に非常にわずかな灰色化を示すにすぎず、白色度性能にプラスの影響を及ぼす。